(57)【要約】      （修正有）【課題】蓋体と筐体をワンタッチで施解錠でき、長期使用にもがたつきや気密性の低下がない、かばん・ケース類用の錠前金具を提供する。【解決手段】かばん・ケース類の筐体に設けられた錠前本体と、蓋体に設けられた錠前本体の嵌合部に差し込まれる差込み部材１０とを有する錠前金具であって、錠前本体は、差込み部材１０の係止窓穴１４と係合する第１の上部係合部４１ａを備えた可動係止部材４０と、可動係止部材を付勢するばね９０と、開閉レバー８０とを有し、差込み部材１０が錠前本体の嵌合部に差し込まれ、差込み部材の係止窓穴１４と第１の上部係合部４１ａと係合した際に、ばね９０の付勢力により可動係止部材４０と差込み部材１０とが拘止され、開閉レバー８０が開錠の方向に動作した際に、ばね９０の付勢力が解除され、可動係止部材４０の第１の上部係合部４１ａと差込み部材１０の係止窓穴１４との係合が解除される。【選択図】図１６
2016037713.tif 000002
【特許請求の範囲】
【請求項１】
かばん・ケース類の筐体に取り付けられた錠前本体と、筐体を覆う蓋体に取り付けられた錠前本体の嵌合部に差し込まれる差込み部材とを有する錠前金具であって、
前記錠前本体は、
前記差込み部材の差込部と係合する差込み部材係止部を備えた可動係止部材と、
ばねが取付けられた付勢力付与機構と、
開閉レバーと、を有し、
前記差込み部材が筐体の錠前本体の嵌合部に差し込まれ、当該差込み部材の差込部が可動係止部材の差込み部材係止部と係合した際には、付勢力付与機構により可動係止部材に付勢力を与えるように作動し、前記した可動係止部材と差込み部材とが拘止されて施錠され、
前記開閉レバーが開錠の方向に動作した際には、付勢力付与機構により可動係止部材に対する付勢力が解除され、可動係止部材と差込み部材の差込部との係合が解除する方向に作動し、開錠されるようになしたことを特徴とする錠前金具。
【請求項２】
前記可動係止部材は、差込み部材の下端部を係止する下部係合部と、差込み部材の係止窓孔の孔部と係合する上部係合部とを有し、錠前金具の解錠状態から前記差込み部材を筐体の錠前本体に差し込んで施錠する際には、差込まれた差込み部材の下端部が前記可動係止部材の下部係合部と当接し、当該可動係止部材を筐体方向に回動させるとともに、当該回動に伴って前記可動係止部材の上部係合部が差込み部材の係止窓孔の孔部と係合し、かつ付勢力付与機構のばねの付勢力の作用により可動係止部材と差込み部材との係合が拘止されて施錠されるようになし、前記開閉レバーが開錠の方向に動作する際には、付勢力付与機構のばねの付勢力が解除され、差込み部材が反対方向に回動し、当該回動に伴って前記可動係止部材の上部係合部と差込み部材の係止窓孔の孔部との係合が外れ、開錠されるようになしたことを特徴とする請求項１に記載の錠前金具。
【請求項３】
前記可動係止部材は、差込み部材の下端部を係止する下部係合部と、差込み部材の係止窓孔の孔部と係合する上部係合部とを有し、錠前金具の解錠状態から前記差込み部材を筐体の錠前本体に差し込んで施錠する際には、差込まれた差込み部材の下端部が前記可動係止部材の下部係合部と当接し、当該可動係止部材の下部係合部を差込み部材の差込み方向に摺動させるとともに、当該摺動に伴って前記可動係止部材の上部係合部が差込み部材の係止窓孔の孔部と係合し、かつ付勢力付与機構のばねの付勢力の作用により可動係止部材と差込み部材との係合が拘止されて施錠されるようになし、前記開閉レバーが開錠の方向に動作する際には、付勢力付与機構のばねの付勢力が解除され、差込み部材が差込み部材の差込み方向と反対方向に摺動し、当該摺動に伴って前記可動係止部材の上部係合部と差込み部材の係止窓孔の孔部との係合が外れ、開錠されるようになしたことを特徴とする請求項１に記載の錠前金具。
【請求項４】
かばん・ケース類に取り付けられる錠前金具の筐体に取り付けられる錠前本体であって、
前記錠前本体は、
前記差込み部材の差込部と係合する差込み部材係止部を備えた可動係止部材と、
ばねが取付けられた付勢力付与機構と、
開閉レバーと、を有し、
前記差込み部材が筐体の錠前本体の嵌合部に差し込まれ、当該差込み部材の差込部が可動係止部材の差込み部材係止部と係合した際には、付勢力付与機構により可動係止部材に付勢力を与えるように作動し、前記した可動係止部材と差込み部材とが拘止され、
前記開閉レバーが開錠の方向に動作した際には、付勢力付与機構により可動係止部材に対する付勢力が解除され、可動係止部材と差込み部材の差込部との係合が解除する方向に作動されるようになしたことを特徴とする錠前本体。
【発明の詳細な説明】
【技術分野】
【０００１】
本発明は、各種かばん類、トランク、スーツケース、クーラーボックス、キャリーバック、各種ケース類やその他各種物品を収納する筐体製品など（以下、これらを総称してかばん・ケース類と称する。）の蓋体及び筐体に取り付けられる錠前金具、特にかばん・ケース類の筐体に開閉可能に覆う蓋体の施錠及び開錠をワンタッチ式で操作することができる錠前金具に関する。
【背景技術】
【０００２】
かばん類の筐体に取り付けられる錠前金具として、かばん類の蓋体に取り付けられた差込み部材をかばん類の本体に取り付けられた施錠機構に係合させてロックする構成のものが広く知られている。例えば、このような構成の錠前金具に関しては、特開平０６−０１０５５１号公報に記載されている。このような錠前金具は、錠前金具のかばん等への取付け時には、がたつきもなく、蓋部とケース部は密閉されているが、永年の使用において、取付けの緩みや位置ずれによって、がたつきが発生して気密性を失ってしまうことが多くあった。
【０００３】
又、かばん類の筐体に取り付けられた錠前金具にかばん類の蓋体に取り付けられた差込み部材を挿入するとともにワンタッチで施錠し、かつ差込み部材を施錠した状態で蓋体の締緩操作を行うことができる錠前金具として、例えば、特許文献２には、ランドセル本体の外底面に取付ける取付け基台と、蓋板の一端に設けた舌片に取付ける差込板とからなり、前記差込板は中央に係止窓孔を設け、前記取付け基板は左右方向に拡げた固定部の表面にランドセル本体の背負ベルトの一端を連結する連結具を回転可能に取付ける座部を形成し、中央の上下方向に一体に設けた摺動部に、前記蓋板の一端に取付けた差込板をロックする施錠機構と差込板をアンロックする開錠機構を内蔵した可動体を、前記取付け基台と可動体との間に設けた摺動機構で上下動可能に取付け、前記可動体の上下動を所定位置で停止させる停止機構を備えてなることを特徴とする錠前金具について提案されている。
【０００４】
しかしながら、特許文献２には、かばん類において筐体と蓋体との施錠が、差込み部材の差込み操作によりワンタッチで行うことができ、かつ、かばん類の蓋体に取り付けられた差込み部材を筐体に取り付けられた錠前本体へ差し込んで施錠した際の錠前本体に対する差込み部材の引き込み力が充分であって安定しており、かばん類の筐体と蓋体とが施錠された状態において、がたつきが発生せず、更に筐体とかばん類の蓋体との解錠が、開閉レバーの操作によりワンタッチで行うことができるようにすることについて、又引き寄せ機構については、何ら言及されていない。
【先行技術文献】
【特許文献】
【０００５】
【特許文献１】特開平０６−０１０５５１号公報
【特許文献２】特開２０１３−３９１４６号公報
【発明の概要】
【発明が解決しようとする課題】
【０００６】
本発明は、かばん・ケース類の蓋体に取付けた差込み部材をワンタッチでかばん・ケース類の筐体に差し込んで確実に錠前金具に施錠することができ、かつ差込み部材を錠前本体へ差し込んで施錠した際の錠前本体に対する差込み部材の引き込み力が充分であって、安定しており、筐体と蓋体とが施錠された状態において、永年に渡って、がたつきや気密性の低下が発生せず、更に筐体と蓋体との開錠が、開閉レバーの操作によりワンタッチで行うことができる錠前金具を提供することを目的とする。
【課題を解決するための手段】
【０００７】
本発明者は、上記目的を解決すべく検討の結果、本発明に至ったものである。
即ち、本発明は、かばん・ケース類の筐体に取り付けられた錠前本体と、筐体を覆う蓋体に取り付けられた錠前本体の嵌合部に差し込まれる差込み部材とを有する錠前金具であって、
前記錠前本体は、
前記差込み部材の差込部と係合する差込み部材係止部を備えた可動係止部材と、
ばねが取付けられた付勢力付与機構と、
開閉レバーと、を有し、
前記差込み部材が筐体の錠前本体の嵌合部に差し込まれ、当該差込み部材の差込部が可動係止部材の差込み部材係止部と係合した際には、付勢力付与機構により可動係止部材に付勢力を与えるように作動し、前記した可動係止部材と差込み部材とが拘止され、施錠され、
前記開閉レバーが開錠の方向に動作した際には、付勢力付与機構により可動係止部材に対する付勢力が解除され、可動係止部材と差込み部材の差込部との係合が解除する方向に作動し、開錠されるようになしたことを特徴とする。
【０００８】
本発明の一実施態様の錠前金具において、前記可動係止部材は、差込み部材の下端部を係止する下部係合部と、差込み部材の係止窓孔の孔部と係合する上部係合部とを有し、錠前金具の解錠状態から前記差込み部材を筐体の錠前本体に差し込んで施錠する際には、差込まれた差込み部材の下端部が前記可動係止部材の下部係合部と当接し、当該可動係止部材を筐体方向に回動させるとともに、当該回動に伴って前記可動係止部材の上部係合部が差込み部材の係止窓孔の孔部と係合し、かつ付勢力付与機構のばねの付勢力の作用により可動係止部材と差込み部材との係合が拘止されて施錠されるようになし、前記開閉レバーが開錠の方向に動作する際には、付勢力付与機構のばねの付勢力が解除され、差込み部材が反対方向に回動し、当該回動に伴って前記可動係止部材の上部係合部と差込み部材の係止窓孔の孔部との係合が外れ、開錠されるように構成されている。
【０００９】
本発明の一実施態様の錠前金具において、前記可動係止部材は、差込み部材の下端部を係止する下部係合部と、差込み部材の係止窓孔の孔部と係合する上部係合部とを有し、錠前金具の解錠状態から前記差込み部材を筐体の錠前本体に差し込んで施錠する際には、差込まれた差込み部材の下端部が前記可動係止部材の下部係合部と当接し、当該可動係止部材の下部係合部を差込み部材の差込み方向に摺動させるとともに、当該摺動に伴って前記可動係止部材の上部係合部が差込み部材の係止窓孔の孔部と係合し、かつ付勢力付与機構のばねの付勢力の作用により可動係止部材と差込み部材との係合が拘止され、施錠されるようになし、前記開閉レバーが開錠の方向に動作する際には、付勢力付与機構のばねの付勢力が解除され、差込み部材が差込み部材の差込み方向と反対方向に摺動し、当該摺動に伴って前記可動係止部材の上部係合部と差込み部材の係止窓孔の孔部との係合が外れ、開錠されるように構成されている。
【００１０】
又、本発明の錠前本体は、かばん・ケース類に取り付けられる錠前金具の筐体に取り付けられる錠前本体であって、
前記錠前本体は、
前記差込み部材の差込部と係合する差込み部材係止部を備えた可動係止部材と、
ばねが取付けられた付勢力付与機構と、
開閉レバーと、を有し、
前記差込み部材が筐体の錠前本体の嵌合部に差し込まれ、当該差込み部材の差込部が可動係止部材の差込み部材係止部と係合した際には、付勢力付与機構により可動係止部材に付勢力を与えるように作動し、前記した可動係止部材と差込み部材とが拘止され、施錠され、
前記開閉レバーが開錠の方向に動作した際には、付勢力付与機構により可動係止部材に対する付勢力が解除され、可動係止部材と差込み部材の差込部との係合が解除する方向に作動し、開錠されるようになしたことを特徴とする。
【発明の効果】
【００１１】
従来のかばん・ケース類に取付けられる錠前金具においては、錠前金具の取付けの僅かなずれ、または使用中に発生する錠前金具の緩みにより、蓋体のがたつきが発生し、錠前金具のロック維持性、筐体と蓋体との施錠時の気密性を損なうことがあったが、本発明の錠前金具及び錠前本体によれば、かばん・ケース類の蓋体に取付けた差込み部材をワンタッチでかばん・ケース類の筐体の錠前本体に差し込んで、充分な係合力、拘止力、引き寄せ力を持って確実に、安定した錠前金具の施錠を行なうことができる。
又、従来の錠前金具においても、可動係止部材によって差込み部材を筐体側に引き付ける構造となっているものがあるが、この操作には手動によって操作レバーを差込み部材に引っ掛けて押し込むか、あるいはハンドルを回して締め付けるなどの操作が必要であったが、本発明では、この操作を蓋体を閉め、施錠するだけで、自動的に引き寄せ力、すなわち締め付け力が発揮され、がたつきを防止する機能が発揮される。
【００１２】
又、筐体と蓋体とが施錠された状態において、筐体と蓋体との間で、永年の使用によって微妙な取付け位置のずれなどによってがたつきが発生しても、上記したように蓋体を閉め、施錠するだけで自動的にがたつきが吸収されているので、本来のがたつきなしの状態及び筐体と蓋体との施錠時の気密性を長期間に渡って保つことができ、更に筐体とかばん蓋体との開錠が、開閉レバーの操作によりワンタッチで行うことができ、本発明の錠前金具は、各種かばん・ケース類用として最適である。
【図面の簡単な説明】
【００１３】
【図１】本発明の一実施態様に係わる錠前金具の錠前本体に差込み部材が差し込まれる前の状態を示す概略正面図。
【図２】図（ａ）は、本発明の一実施態様に係わる錠前金具の錠前本体に差込み部材が差し込まれた状態を示す概略正面図、図（ｂ）は、その錠前本体に差込み部材が差し込まれた状態を示す概略側面図。
【図３】本発明の一実施態様に係わる錠前金具の主要構成部品の概略を示す図面。
【図４】図（ａ）は、本発明の一実施態様に係わる錠前金具の差込み部材の正面図、図（ｂ）は、その側面図。
【図５】図（ａ）は、本発明の一実施態様に係わる錠前金具の取付け基台の正面図、図（ｂ）は、その側面図、図（ｃ）はその平面図。
【図６】図（１−ａ）〜（１−ｄ）は、本発明の一実施態様に係わる錠前金具の可動係止部材の図面であり、図（１−ａ）は、その可動係止部材の正面図、図（１−ｂ）は、その側面図、図（１−ｃ）はその平面図、図（１−ｄ）は、可動係止部材の１例の斜視図、図（２−ａ）、（２−ｂ）は、本発明の他の実施態様に係わる可動係止部材の図面であり、図（２−ａ）は、その可動係止部材の側面図、図（２−ｂ）は、その斜視図。
【図７】図（ａ）は、本発明の一実施態様に係わる錠前金具の内枠体の正面図、図（ｂ）は、その側面図、図（ｃ）はその平面図。
【図８】図（ａ）は、本発明の一実施態様に係わる錠前金具のばね軸付設枠体の正面図、図（ｂ）は、その側面図、図（ｃ）はその平面図。
【図９】図（ａ）は、本発明の一実施態様に係わる錠前金具の支え枠体の正面図、図（ｂ）は、その側面図、図（ｃ）はその平面図。
【図１０】図（ａ）は、本発明の一実施態様に係わる錠前金具の支え枠体の背面図、図（ｂ）は、その側面図、図（ｃ）はその平面図、図（ｄ）は、その正面図。
【図１１】図（ａ）は、本発明の一実施態様に係わる錠前金具のばね軸付設枠体に装着されるばねの正面図、図（ｂ）は、その側面図。
【図１２】図（ａ）は、本発明の一実施態様に係わる錠前金具の内枠体と開閉レバーとを軸支する軸の正面図、図（ｂ）は、その側面図。
【図１３】本発明の一実施態様に係わる錠前金具の要部の概略分解図。図（ａ）は、差込み部材の斜視図、図（ｂ）は、差込み部材の化粧カバーの斜視図、図（ｃ）は、ばね軸付設枠体が取付けられた基台の斜視図、図（ｄ）は、可動係止部材とばね軸部とばねとの関係を示す斜視図、図（ｅ）は、開閉レバーの斜視図。
【図１４】本発明の錠前金具の施錠動作及び開錠動作の１例の概略を説明するための説明図。
【図１５】本発明の錠前金具の施錠動作及び開錠動作の１例の概略を説明するための説明図。
【図１６】本発明の錠前金具の施錠動作及び開錠動作の他の例を説明するための説明図。
【図１７】本発明の錠前金具が取付けられたクーラーボックスの斜視図。
【発明を実施するための形態】
【００１４】
本発明の錠前金具の実施態様を、図面を参照して、以下に説明する。
図１は、かばん・ケース類の蓋体Ａ及び筐体Ｂに取り付けられる本発明の錠前金具１の差込み部材１０が錠前本体２０に差し込まれる前の状態を示す正面図、図２（ａ）は、本発明の錠前金具１の差込み部材１０が錠前本体２０に差し込まれた状態の概略の正面視を示す説明図、図２（ｂ）は、本発明の錠前金具１の差込み部材１０が錠前本体２０に差し込まれた状態の概略の側面視を示す説明図である。
【００１５】
本発明の錠前金具１は、図３に示すように、基本的な構成として、かばん・ケース類の蓋体Ａの所定位置に取付ける差込み部材１０と、かばん・ケース類の筐体の所定位置に取り付けられる錠前本体２０と、錠前本体２０を筐体Ｂの所定位置に取り付けるための取付け基台３０と、錠前本体に内蔵される可動係止部材４０と、内枠体５０と、ばね軸付設枠体６０と、支え枠体７０と、内枠体５０及び支え枠体７０に係合された錠前金具の施錠及び開錠の操作を行なうことができる開閉レバー８０と、ばね軸付設枠体６０に装着されるばね９０と、鍵部１００と、軸１１０とを有する。付勢力付与機構は、ばね軸付設枠体６０とばね９０と有している。
【００１６】
前記した差込み部材１０は、例えば、図４に示すように、差込み部材１０をかばん・ケース類の蓋体に取り付けるための基部１１と、基部１１から下方に伸びるプレート部１２と、その中央に下辺に水平部１３を設けた係止窓孔１４と、下端部１５とを有しており、又前記基部１１には蓋体に差込み部材を取り付けるための鋲孔１６が設けられている。前記プレート部１２と水平部１３と係止窓孔１４と下端部１５とが差込み部材の差込部を構成する。
係止窓孔１４には、施錠時に後述する可動係止部材４０の上部係合部４１が入り込み、差込み部材１０を係止するようになっている。
【００１７】
前記した取付け基台３０は、例えば、図５に示すように、基部３１と、基部３１にあけられた取付け基台３０をかばん・ケース類の筐体に取り付けるための鋲孔３２と、内枠体４０の取付け脚部を差し込んで取り付けるための孔部３３と、ばね軸付設枠体５０の取付け脚部を差し込んで取り付けるための孔部３４と、内枠体４０及びばね軸付設枠体５０のそれぞれの取付け脚部を差し込んで取り付けるための孔部３５と、後述する可動係止部材４０の上部係合部４１が入り込んで、当該上部係合部４１を係止することができるようにされた係止窓孔３６とが設けられている。
【００１８】
前記した可動係止部材４０は、例えば、図６（１−ａ）〜（１−ｄ）に示すように、差込み部材１０が、錠前本体２０に差込まれた際に、差込み部材１０の下端部１５と当接し、更に差込み方向に可動係止部材４０を回動、又は摺動、又は回動及び摺動させる機能を有する下部係合部４２と、可動係止部材４０の回動、又は摺動、又は回動及び摺動に伴って、差込み部材１０の係止窓孔１４の孔部に係合する上部係合部（すなわち、差込み部材係止部）４１とを有する。前記した下部係合部４２は、開閉レバーの操作により開錠する際には、可動係止部材４０の差込み方向と反対方向への回動、又は摺動、又は回動及び摺動により、差込まれた差込み部材１０の下端部１５を上方に持ち上げて、差込み部材１０の係止窓孔１４の孔部と上部係合部４１との係合が外れ、開錠させるように機能する。
【００１９】
即ち、この可動係止部材４０にあっては、錠前金具の開錠状態から前記差込み部材１０を筐体の錠前本体２０に差し込んで施錠しようとする際には、差込まれた差込み部材１０の下端部１５が前記可動係止部材４０の下部係合部４２と当接し、当該可動係止部材４０の下部係合部４２を差込み部材１０の差込み方向に、回動、又は摺動、又は回動及び摺動させるとともに、当該回動、又は摺動、又は回動及び摺動に伴って前記可動係止部材４０の上部係合部４１が差込み部材１０の係止窓孔１４の孔部と係合するようになし、前記錠前本体２０に差し込まれた差込み部材１０を当該錠前本体２０から引き抜いて開錠状態にしようとする際には、差込まれた差込み部材１０の下端部１５と当接した前記可動係止部材４０の下部係合部４２を差込み部材１０の差込み方向と反対方向に回動、又は摺動、又は回動及び摺動させるとともに、当該回動、又は摺動、回動及び摺動に伴って前記可動係止部材４０の上部係合部４１と差込み部材１０の係止窓孔１４の孔部との係合が外れるようになっている。
【００２０】
上記した可動係止部材４０において、４６は、可動係止部材４０を回動、又は摺動、又は回動及び摺動可能なように、支え枠体７０に取付けるための突出した軸部であり、当該軸部４６は、後述する支え枠体７０の軸受け部７３に軸支されている。
又、４７は、ばね軸付設枠体６０のガイド部分６７に当接し、ばね軸付設枠体６０に装着されたばねに付勢力を加えたり、解除したりするように機能させるために備えられたばね受け部であり、可動係止部材４０の下方向への回動、又は摺動、又は回動及び摺動により、ばね受け部４７とばね軸付設枠体６０のガイド部分６７とが当接してガイド部分を下方に押し込んで、ばねに付勢力が加わるようにされており、又、開閉レバーの開錠方向への作動により、可動係止部材４０の上方向へ回動、又は摺動、又は回動及び摺動した際には、ばね受け部４７とばね軸付設枠体６０のガイド部分６７との当接が解除され、ばねに加わった付勢力が解除されようにされている。この例は、可動係止部材４０の作動を回動と上下の摺動によって、差込み部材１０との係合、解除がされるようになっているものである。
【００２１】
図６（２−ａ）、（２−ｂ）は、前記可動係止部材４０の他の実施例に係るもので、その側面図及び斜視図を示したものである。この例は、可動係止部材４０の作動を回動によって、差込み部材１０との係合、解除がされるようになっているものである。
同図において、第１の上部係合部４１ａの反対側には第２の上部係合部４１ｂが設けられており、又第１の下部係合部４２ａの反対側には第２の下部係合部４２ｂが設けられている。前記第２の上部係合部４１ｂは、施錠状態において開閉レバー８０の内側面に設けられた突出部８７と係合するようになっており、開錠の際の開閉レバー８０の回動に応じて第２の上部係合部４１ｂが持ち上げられ、第２の上部係合部４１ｂと突出部８７との係合が外れるようになっている。
【００２２】
この可動係止部材４０にあっては、差込まれた差込み部材の下端部１５が前記可動係止部材の第１の下部係合部４２ａと当接し、当該可動係止部材の第１の下部係合部４２ａを差込み部材の差込み方向に回動させた際、可動係止部材４０は、ばね軸付設枠体６０のガイド部６７と当接し、ばね軸付設枠体６０に装着されたばね９０に付勢力を負荷するようになすとともに、差込まれた差込み部材１０の下端部１５と当接した前記可動係止部材の第１の下部係合部４２ａを差込み部材の差込み方向と反対方向に回動させた際、可動係止部材４０は、ばね軸付設枠体６０のガイド部６７との当接が解除され、ばね軸付設枠体６０に装着されたばね９０に負荷された付勢力を解除するようになっている。
【００２３】
又、前記第２の下部係合部４２ｂは、後述するばね軸付設枠体６０のばね軸部６５の上端部に設けられたガイド部６７に沿って摺動するようになっており、ガイド部６７の摺動面に沿った移動によって、ばね９０に付勢された状態（ばねが縮んだ状態）となったり、付勢が解除された状態（ばねが伸びた状態）となったりするようにされている。
前記第２の下部係合部４２ｂのガイド部６７に沿った移動に応じて、前記第１の上部係合部４２ａは、差込み部材１０の係止窓孔１４に係合したり、更に前記取付け基台３０の係止窓孔３６に係合したり、又、前記第１の下部係合部４２ａは、差込み部材１０の下端部１５を押し上げて差込み部材１０と可動係止部材４０との係合を解除するようにされる。
図６（２−ａ）、（２−ｂ）において、４６は、（１−ａ）〜（２−ｄ）において述べられた可動係止部材４０の回動の軸部であり、４７も同様にばね受け部である。
【００２４】
前記した内枠体５０は、例えば、図７に示すように、錠前本体内部に内蔵されるように一辺が開口した略箱形の形状をなしており、ばね軸付設枠体６０の内側面の一部と接し、支え部材７０の内側面の一部と接する下端が自由端となっている縦壁部５１と、内枠体５０を取付け基台３０に取付けるための脚部５２と、軸１００をその端部において軸支するために設けられた孔部５３と、開閉レバー８０の上端と開閉レバーの開錠の際に接する上端部５４と、ばね軸付設枠体６０と係合する溝型状の係合部５５と、差込み部材１０が挿入される開口部５６と、可動係止部材４０が内蔵されるようにされた空間部５７と、が設けられている。また、溝型状の係合部５５の一方の開放端は、可動係止部材４０の軸部４６が引っ掛かる係止部５８となっている。
【００２５】
この内枠体５０は、例えば、ばね軸付設枠体６０の外側に、当該ばね軸付設枠体６０の係合軸６８と係合するように配設されている。
この内枠体５０は、差込み部材１０が挿入されたとき、溝型状の係合部５５内を、可動係止部材４０の下部係合部４２が下方方向に移動され、ばね軸付設枠体６０とともに下方に移動するようになっており、又差込み部材１０が引き抜かれたとき、溝型状の係合部５５内を、可動係止部材４０の下部係合部４２は上方方向に移動されるようになっている。
【００２６】
前記したばね軸付設枠体６０は、例えば、図８に示すように、錠前本体内部に内蔵されるように一辺が開口した略箱形の形状をなしており、内枠体５０と支え部材７０との間に一部接するように位置された縦壁部６１と、ばね軸付設枠体６０を取付け基台３０に取付け、かつ摺動可能にされた脚部６２と、支え部材７０の底面部７１と内接する底面部６３と、支え部材７０が傾動自在なように形成された係合軸孔部６４と、図１１に例示したようなばね９０が装着されるばね軸部６５と、ばね受け部６６と、ばね軸部６５の上端部に位置し、ばねに付勢力が負荷されるように設けられたガイド部６７と、が設けられている。
【００２７】
又、係合軸孔部６４には、前記可動係止部材４０下部係合部４２が当接するように設けられており、差込み部材１０の挿入、引き抜きに応じて、係合軸孔部６４を支点として可動係止部材４０が回動し、差込み部材１０の係止窓孔１４と可動係止部材４０の下部係合部４２とが係合、又は係合の解除がされるようになっている。
差込み部材１０が挿入され、停止位置に達したとき、可動係止部材４０は下方方向に移動され、ばね軸付設枠体６０は、支え枠体７０と共動して下方に移動し、ばね９０に付勢力が加わるようになっており、又差込み部材１０が引き抜かれたとき、可動係止部材４０は上方方向に移動され、ばね軸付設枠体６０は、支え枠体６０と共動して上方に移動し、ばね９０への付勢力は解除されるようになっている。付勢力付与機構は、基本的に上記したばね軸付設枠体６０とばね９０とにより構成され、錠前金具の解錠状態から前記差込み部材を筐体の錠前本体に差し込んで施錠する際には、付勢力付与機構のばねの付勢力の作用により可動係止部材と差込み部材との係合が拘止されるようになっており、又前記開閉レバーが開錠の方向に動作する際には、付勢力付与機構のばねの付勢力が解除され、開錠されるようになっている。
【００２８】
前記した支え枠体７０は、例えば、図９に示すように、ばね軸付設枠体６０の底面部６３を支える底面部７１と、縦壁部７２と、可動係止部材４０の軸部４６と係合する上部係合軸受部７３と、可動係止部材４０のばね受け部４７と係合する下部係合軸受け部７４と、差込み部材１０が挿入され、可動係止部材４０が下降した際、この下降に応じてばね軸付設枠体６０の脚部６２と係合し、ばね軸付設枠体６０を下降させることができるようにする枠部７５と、ばね軸付設枠体６０の上昇及び下降の動きをガイドするガイド溝部７６とを有している。
【００２９】
支え枠体７０は、差込み部材１０が挿入されたときには、可動係止部材４０を下方の停止位置に保持できるような働きをし、又開閉レバー８０の開錠の操作をしたときには、開閉レバー８０の開錠の動きによりばね９０の付勢力により可動係止部材４０が上方向（図において右側）に回動、又は摺動、又は回動及び摺動し、可動係止部材４０の下部係合部４２を押し上げ、差込み部材１０と可動係止部材４０との係合を解除する動作をするようになっている。又、差込み部材１０が挿入されたときには、差込み部材１０の先端が可動係止部材４０の下部係合部４２を押し下げ、差込み部材１０の係止窓孔１４と上部係合部４１との係合がなされ、支え枠体７０は施錠状態に位置に維持される。このとき、支え枠体７０が下降するが、支え枠体７０の開閉レバー８０との当接部が、開閉レバー８０の内壁８５に沿って摺動し、開閉レバー８０は自動的に施錠状態の位置に移動する。このように、差込み部材１０の挿入によって、施錠状態とすることができる。
【００３０】
前記した開閉レバー８０は、例えば、図１０に示すように、支え枠体７０の外側に配されるように空間部８１と、錠前金具の施錠及び開錠の操作面となる外壁面８２と、上壁面８３と、左右の側壁面８４と、内壁８５と、鍵部１００が装着される凹状部８６、必要に応じて設けられる突出部８７とを有する筐体構造となっている。開閉レバー８０は、内枠体５０の孔部５３に図１２に例示されるような軸１１０を介して回動できるように装着されている。
本発明の錠前金具においては、差込み部材１０の錠前本体２０への差込みにより可動係止部材４０が動作して自動的に施錠されるようになっており、開閉レバー８０の開錠操作により、差込み部材１０の錠前本体２０からの引き抜きにより可動係止部材４０が動作して自動的に開錠されるようになっている。前述したように、開閉レバー８０は、支え枠体７０の当接部が開閉レバー８０の内壁８５の面を摺動するガイドとなって、施錠位置、開錠位置に移動するようになっている。
【００３１】
本発明の錠前金具の１例の実施態様は、かばん類の筐体に取り付けられた錠前本体と、筐体を覆う蓋体に取り付けられた錠前本体の嵌合部に差し込まれる差込み部材とを有し、前記錠前本体は、取付け基台と、該取付け基台に取り付けられた内枠体と、前記取付け基台に取り付けられたばね軸付設枠体と、該ばね軸付設枠体に傾動可能に取り付けられた支え枠体と、前記支え枠体に対し摺動可能に取り付けられた可動係止部材と、前記内枠体に傾動可能に取り付けられた開閉レバーとを有し、前記差込み部材が筐体の錠前本体に差し込まれた際には、当該差込み部材の差込部が可動係止部材の差込み部材係止部と係合し、かつばね軸付設枠体に取り付けられたばねに付勢力を与えるように作動し、前記開閉レバーが開錠の方向に回動した際には、支え枠体及び可動係止部材とが連動するとともに、付勢力が付与された前記ばねによりばね軸付設枠体が差込方向と反対方向に移動し、可動係止部材と差込み部材の差込部との係合を解除する方向に作動されるように構成することができる。
【００３２】
又、本発明の一実施態様の錠前金具における前記開閉レバーと前記支え枠体とは、支え枠体の一端側において回動するように軸支され、前記開閉レバーと前記支え枠体とが連動して動作するようにされており、前記支え枠体とばね軸付設枠体とは、支え枠体の他端側においてばね軸付設枠体と係合され、開閉レバーの開錠方向への操作に伴う支え枠体の移動時には、ばね軸付設枠体を当該ばね軸付設枠体に取り付けられたばねに加わった付勢力によって差込み部材の差込方向と反対方向に移動され、差込み部材を筐体の錠前本体に差し込んで施錠する際には、可動係止部材と連動してばね軸付設枠体のばねに付勢力が付加されるように構成することができる。
【００３３】
又、本発明の一実施態様の錠前金具における前記開閉レバーと前記支え枠体とは、支え枠体の上端側において回動するように軸支され、前記開閉レバーと前記支え枠体とが連動して動作するようにされており、前記支え枠体とばね軸付設枠体とは、支え枠体の下端側においてばね軸付設枠体と係合され、開閉レバーの開錠方向への操作に伴う支え枠体の移動時には、ばね軸付設枠体を当該ばね軸付設枠体に取り付けられたばねに加わった付勢力によって差込み部材の差込方向と反対方向に移動され、差込み部材が筐体の錠前本体に差し込んで施錠する際には、可動係止部材と連動してばね軸付設枠体のばねに付勢力が付加されるように構成することができる。
【００３４】
又、本発明の一実施態様の錠前金具における前記可動係止部材とばね軸付設枠体とは、可動係止部材の下端側とばね軸付設枠体の上端側において上下方向に摺動可能に、かつ可動係止部材が傾動可能に係合され、前記可動係止部材と支え枠体とは、可動係止部材の下端側と前記可動係止部材とばね軸付設枠体との係合部の上方において傾動可能に係合され、開閉レバーの開錠方向への操作に伴う可動係止部材の移動時には、支え枠体及び可動係止部材とが連動し、当該差込み部材の差込部と可動係止部材の差込み部材係止部との係合が解除される方向に移動し、差込み部材を筐体の錠前本体に差し込んで施錠する際には、可動係止部材と支え枠体とが連動し、当該差込み部材の差込部と可動係止部材の差込み部材係止部とが係合する方向に移動するように構成することができる。
【００３５】
次に、本発明の他の実施態様に係わる錠前金具の要部の概略分解図を示す図１３に従って、本発明の錠前金具の構成を説明する。
図１３の（ａ）に示す差込み部材において、２００は差込み部材、２０１は基部、２０２はプレート部、２０３は水平部、２０４は係止窓孔、２０５は下端部、２０６は鋲孔を示し、図１３の（ｂ）において、２１０は、差込み部材２００の化粧カバー２１０を示し、差込み部材２００の基部２０１に装着される。
【００３６】
図１３の（ｃ）に示すばね軸付設枠体が取付けられた取付け基台において、３００は取付け基台、３０１はばね軸付設枠体（図示された３０１は、ばね軸付設枠体の構成の一部を示している。）、３０２はばね軸付設枠体の縦壁部、３０３は底面部、３０４は図１３の（ｄ）に示したばね軸部３１０のばね受け部、３０５は図１３の（ｄ）に示した可動係止部材３２０の回動軸部３２１を軸支する軸孔、３０６は図１３の（ｄ）に示した開閉レバー３４０を開閉自在に回動させるための軸を軸支する軸孔、３０７は取付け基台をかばん・ケース類の筐体に取付けるための鋲孔、３０８は開閉レバー３４０のがたつきを防止するためのばねの受け部を示す。
【００３７】
図１３の（ｄ）において、可動係止部材３２０の回動軸部３２１は、前述したばね軸付設枠体の縦壁部の上方に設けられた軸孔３０５に回動可能に軸支されている。同図において、３２２は、差込み部材の係止窓孔２０３に嵌合する上部係合部、３２３は、差込み部材が挿入されたときに差込み部材の下端部２０５が当接する下部係合部、３２４は、ばねの作動点の働きをする突出軸部、３２５は、差込み部材の下端部２０５が挿入されるようにされた開口部、３２６は、開閉レバー３４０との係り面を示す。
【００３８】
同図のばね軸付設枠体３０１において、ばね軸部３３０には、ばね３３１が装着され、ばね軸部３３０の下端は、ばね受け部３０４により支持されるようになっている。又、ばね軸部３３０の上端には、差込み部材が挿入されたときに可動係止部材３２０の下部係合部３２３が当接するプレート片部材３３２が設けられている。差込み部材が挿入され、可動係止部材３２０の下部係合部３２３がプレート片部材３３２に当接し、更に差込み部材が下降すると、可動係止部材３２０が回動軸部３２１を中心として回動し、可動係止部材３２０の下部係合部３２３がプレート片部材３３２を押してプレート片部材３３２が下降する。この下降に伴って、ばね３３１に付勢力が加わる。付勢力付与機構は、上記したように構成されている。
【００３９】
又、プレート片部材３３２の両側には、上方に屈曲したガイド部３３３が設けられており、このガイド部３３３の上面部には、可動係止部材３２０の突出軸部３２４が摺動するガイド面３３４が形成されており、このガイド面３３４の所定形状に沿って、かつ所定幅を持って、可動係止部材３２０が移動するようになっている。
【００４０】
図１３の（ｅ）に示す開閉レバー３４０において、３４１は、開閉レバー外装板、３４２は、上記したばね軸付設枠体３０１、可動係止部材３２０、その他の構成部材が納まるように形成された空間部、３４３は、錠前金具の施錠及び開錠の操作面となる外壁面、３４４は、外壁面の内側の内壁面、３４５は、開閉レバー外装板３４１の両側に設けられた側壁、３４６は、開閉レバー３４０を開閉自在に回動させるためにばね軸付設枠体３０１の軸孔３０６に装着される軸の両端部を軸支する軸孔、３４７は、開閉レバーの開錠の操作時に可動係止部材３２０の開閉レバーとの係り面３２６に係合する開閉ガイド部、３４８は、錠前金具の施錠時のがたつき防止のために装着される開閉レバー用ばねのばね受け部、３４９は、錠前金具の鍵が挿入される錠を示す。
【００４１】
図１３に示した構成の錠前金具においては、錠前金具の錠前本体の嵌合部に差込み部材が挿入され、差込み部材が下降すると、差込み部材２００の下端部２０５が可動係止部材３２０の下部係合部３２３に当接し、差込み部材の下端部２０５の更なる下降により可動係止部材３２０が回動軸部３２１を中心として回動し、可動係止部材３２０の下部係合部３２３が下方方向に移動し、可動係止部材３２０の下部係合部３２３がプレート片部材３３２を押してプレート片部材３３２が下降する。又、このとき可動係止部材３２０の上部係合部３２２は、差込まれた差込み部材３２０の係止窓孔２０３に嵌合し、係止窓孔２０３において可動係止部材３２０の上部係合部３２２が係止される。更なる下降によって、ばね３３１に付勢力が加わり、係止窓孔２０３における可動係止部材３２０の上部係合部３２２との係止によって付勢力が維持され、施錠状態となる。
【００４２】
一方、錠前金具を開錠しようとするとき、開閉レバー３４０を開錠方向へ操作すると、開閉レバー３４０の開閉ガイド部３４７が可動係止部材３２０のかかり面３２６と係合し、可動係止部材３２０が所定角度回動すると、ばね３３１に加わった付勢力の解除によって差込み部材の下端部２０５を上昇させて、施錠が解除される。
このように、差込み部材の挿入によりワンタッチで施錠することができ、一方、開閉レバー３４０の操作によりワンタッチで開錠することができる。
【００４３】
以下、本発明の錠前金具の施錠動作及び開錠動作の例を図１４〜１６に従って説明する。
図１４〜１６は、差込み部材１０と可動係止部材４０との動きを分かり易く説明するために、差込み部材と可動係止部材４０と関係する部分以外の部材は、一部省略してある。なお、図１４は、図６（１−ａ）〜（１−ｄ）に示した形状の可動係止部材４０を使用した場合の例である。
図１４は、開錠、施錠の際の取付け基台に対する開閉レバー８０、支え枠体７０、ばね軸付設枠体６０、差込み部材１０の動きの概略を示した図面であり、図１４（ａ）は、開錠状態を示した図面であり、図１４（ｂ）は、施錠状態を示した図面である。同図において、５０は内枠体であり、１１０は開閉レバー８０と支え枠体７０とを一体に動かす軸である。
【００４４】
図１４（ａ）は、開錠された状態から蓋体の閉めの操作によって差込み部材１０が錠前本体に差し込まれ、差込み部材１０と可動係止部材４０とが接したときの施錠開始前の状態を示す図面である。そして、図１５（ａ）に示すように、可動係止部材４０の軸部４６は、内枠体５０に設けられた係止部５８に引っかかっており、これによって開錠状態を保っている。差込み部材１０の差し込まれた初期の段階において、可動係止部材４０は、斜め位置となっており、差込み部材１０の下端部１５が可動係止部材４０の下部係合部４２と接している。
【００４５】
差込み部材１０の更なる差込みにより可動係止部材４０が回動するとともに下方向に摺動し、可動係止部材４０は、図１５（ｂ）のように、水平位置となり、可動係止部材４０の上部係合部４３は、差込み部材１０の係止窓孔１４内に挿入されて係合し、更に上部係合部４３が差込み部材１０の係止窓孔１４内に深く挿入されることにより蓋体の筐体側への引き寄せが促進し、一方、下部係合部４２は、図１５（ｂ）には図示していないが、内枠体５０の孔部５３、ばね軸付設枠体６０の係合軸孔部６４に通じて支え枠体７０の下部係合軸受け部７４と係合し、開閉レバー８０は支え枠体７０の方向に引き寄せられ、差込み部材１０の差込み動作のワンタッチによって施錠が完了する。
【００４６】
この施錠が終了したときには、可動係止部材４０が下降しており、この下降の動きによりばね軸付設枠体６０を下方に移動させることによりばね９０に付勢力が加わるようになっている。この施錠状態においては、可動係止部材４０の上部係合部４３と差込み部材１０の係止窓孔１４との係合、及び上記した可動係止部材４０の下部係合部４２と支え枠体７０との係合等の双方により、施錠後の筐体と蓋体との間で、がたつきが発生するのを防止することができる。
【００４７】
又、開錠しようとするために、開閉レバー８０を開錠方向に移動したときには、ばね９０の付勢力によって可動係止部材４０が上方に移動するとともに回動し、可動係止部材４０の上部係合部４３と差込み部材１０の係止窓孔１４との係合、及び上記した可動係止部材４０の下部係合部４２と支え枠体７０との係合が解除され、差込み部材１０は上方に飛び上がり、開錠状態となる。この例においては、開錠時には、可動係止部材４０は、ばね９０の力によって下方に引っ張られているが、可動係止部材４０の軸部４６が内枠体５０に設けられた係止部５８に引っかかっており、これによって開錠状態を保っている。そして、差込み部材１０を錠前本体の嵌合部に差し込むと、差込み部材１０の先端で可動部材４０の下部係合部４２が押され、可動係止部材４０は回転し、可動係止部材４０の軸部４６と内枠体５０の係止部５８との引っ掛かりが外れる。この引っ掛かりが外れると、可動係止部材４０は、ばね９０により直線的に下方に引っ張られ、施錠状態となる。このように、蓋体を閉める力で、差込み部材が解放位置にある可動係止部材の下端部を押して解放位置から引っ掛かりをはずして、後はばねの作用方向の力で差込み部材を引き寄せ方向に引っ張る構造を採用している。
【００４８】
次に、図６（２−ａ）、（２−ｂ）に示した形状の可動係止部材４０を使用した場合について、図１６に従って施錠、開錠の動作について説明する。
図１６（ａ）は、開錠された状態から差込み部材１０を錠前本体２０に差し込む前の状態、すなわち、かばん・ケース類の蓋体を閉める前の開放状態を示した図面である。この形態の可動係止部材４０においては、可動係止部材４０は、支え枠体７０の上部係合軸受部７３に軸支され、回転するように取り付けられている。
図１６（ａ）の状態においては、可動係止部材４０は、斜め位置となっており、可動係止部材４０の差込み部材１０を受け入れる凹状部４５は、上向き方向に位置している。
【００４９】
図１６（ｂ）は、開錠された状態から蓋体の閉めの操作によって差込み部材１０が錠前本体２０に差し込まれ、差込み部材１０と可動係止部材４０とが接したときの状態を示す図面である。この状態において、可動係止部材４０は、より斜め位置となっており、差込み部材１０の下端部１５が第１の下部係合部４２ａと接している。
差込み部材１０の更なる差込みにより、差込み部材１０の下端部１５が第１の下部係合部４２ａを更に押して可動係止部材４０が回転軸部４６を中心にして回動し、可動係止部材４０の第１の上部係合部４１ａは、図１６（ｃ）のように差込み部材１０の係止窓孔１４（同図に図示せず）内に挿入されて係合し、施錠状態となる。
【００５０】
更に、差込み部材１０を差込むと、差込み部材１０の下端部１５が第１の下部係合部４２ａを更に押して可動係止部材４０が回転軸部４６を中心にして更に回動し、差込み部材１０は更に押し下げられ、可動係止部材４０の第１の上部係合部４１ａは、図１６（ｄ）のように差込み部材１０の係止窓孔１４（同図の図示せず）を貫通して外側に突出する位置まで移動し、これによって可動係止部材４０の第１の上部係合部４１ａの先端部は、係止窓孔１４の外側からも係合されるようになり、蓋体の筐体側への引き寄せが促進され、可動係止部材４０の第１の上部係合部４１ａと差込み部材１０との係合は一層確実となり、かばん・ケース類の蓋体のがたつきを吸収することができ、より一層の施錠を確実にすることができる。
錠前金具を開錠する際には、開閉レバー８０を図１６（ｄ）に示した矢印方向に引くと、ばね９０の付勢力によって、開閉レバー８０に設けられた開閉ガイド部分が可動係止部材４０を回動させ、開錠することができる。
【００５１】
この実施態様においては、可動係止部材４０の回転位置を段階的に確実にするために、すなわち可動係止部材４０の開錠位置、施錠進行中の位置、施錠完了時の位置が確実にかつ円滑にガイドされるように、ばね軸付設枠体６０に設けられたガイド部６７には、可動係止部材４０の開錠位置に対応するように第２の下部係合部４２ｂの先端が落とし込ませる凹状部６８が設けられており、又施錠進行中、第２の下部係合部４２ｂが円滑にガイド部６７表面を摺動するようにスロープ部６９が設けられている。
この例においては、蓋体を閉める力で、差込み部材が解放位置にある可動係止部材の下端部を押して、ばねで解放位置に押し付けられている可動係止部材を回転させ、施錠するとともに、ばねの作用方向が施錠方向に働き、通常の施錠位置より可動係止部材の先端は、差込み部材を引き寄せる方向に更に回転させる構造を採用している。
【００５２】
本発明における図１１に例示したばね９０、図２、３に例示した鍵部１００、及び図１２に例示した軸１１０としては、錠前金具として従来より用いられている、又は知られているものが適宜使用できる。
又、本発明における差込み部材１０、取付け基台３０、可動係止部材４０、内枠体５０、ばね軸付設枠体６０、支え枠体７０、開閉レバー８０、ばね９０、鍵部１００、軸１１０等の各部材の構成材料は、対象となるかばん・ケース類に応じて、金属、プラスチック、複合素材などの適宜の材料が選択される。又、各部材の寸法、形状等も、対象となるかばん・ケース類に応じて適宜の寸法、形状が設計される。
【００５３】
本発明の錠前金具は、例えば、図１７に示したように、かばん・ケース類４００の筐体４０１に錠前本体４０２が取付けられ、筐体４０１を覆う蓋体４０３に錠前本体の嵌合部に差し込まれる差込み部材４０４が取付けられる。なお、図１７において、かばん・ケース類として、クーラーボックスを挙げたものである。
本明細書において、図面を用いて説明した錠前金具は、本発明の実施態様の一例を示したものであり、本発明はこれら実施態様に限定されることなく、本発明の発明思想を逸脱することのない範囲で種々の実施態様の変更を採用することができる。
【産業上の利用可能性】
【００５４】
本発明の錠前金具は、かばん・ケース類の蓋体に取付けた差込み部材をワンタッチでかばん・ケース類の筐体に差し込んで、充分な係合力を持って確実に、安定した錠前金具の施錠を行なうことができ、かつ筐体と蓋体とが施錠された状態において、筐体と蓋体との間で、がたつきが発生せず、更に筐体とかばん蓋体との開錠が、開閉レバーの操作によりワンタッチで行うことができ、各種かばん類、トランク、スーツケース、クーラーボックス、キャリーバック、各種ケース類やその他各種物品を収納する筐体製品など用として最適である。
【符号の説明】
【００５５】
１：錠前金具、１０，２００，４０４：差込み部材、１１、２０１：基部、１２、２０２：プレート部、１３、２０３：水平部、１４、２０４：係止窓孔、１５、２０５：下端部、１６、２０６：鋲孔、２０、４０１：錠前本体、３０、３０１：取付け基台、３１：基部、３２：鋲孔、３３、３４、３５：孔部、３６：係止窓孔、４０：可動係止部材、４１：上部係合部、４１ａ：第１の上部係合部、４１ｂ：第２の上部係合部、４２：下部係合部、４２ａ：第１の下部係合部、４２ｂ：第２の下部係合部、４５：凹状部、４６：軸部、４７：ばね受け部、５０：内枠体、５１：縦壁部、５２：脚部、５３：孔部、５４：上端部、５５：係合部、５６：開口部、５７：空間部、５８：係止部、６０：ばね軸付設枠体、６１、３０２：縦壁部、６２：脚部、６３、３０３：底面部、６４：係合軸孔部、６５：ばね軸部、６６：ばね受け部、６７：ガイド部、６８：凹状部、６９：スロープ部、７０：支え枠体、７１：底面部、７２：縦壁部、７３：上部係合軸受部、７４：下部係合軸受け部、７５：枠部、７６：ガイド溝部、８０、３４０：開閉レバー、８１：空間部、８２：外壁部、８３：上壁部、８４：側壁部、８５：内壁、８６：凹状部、８７：突出部、９０：ばね、１００：鍵部、１１０：軸、４００：かばん・ケース類、４０１：筐体、４０３：蓋体。
【図１】
2016037713.tif 000003
【図２】
2016037713.tif 000004
【図３】
2016037713.tif 000005
【図４】
2016037713.tif 000006
【図５】
2016037713.tif 000007
【図６】
2016037713.tif 000008
【図７】
2016037713.tif 000009
【図８】
2016037713.tif 000010
【図９】
2016037713.tif 000011
【図１０】
2016037713.tif 000012
【図１１】
2016037713.tif 000013
【図１２】
2016037713.tif 000014
【図１３】
2016037713.tif 000015
【図１４】
2016037713.tif 000016
【図１５】
2016037713.tif 000017
【図１６】
2016037713.tif 000018
【図１７】
2016037713.tif 000019